【手続補正書】
【提出日】平成28年4月4日(2016.4.4)
【手続補正１】
【補正対象書類名】特許請求の範囲
【補正対象項目名】全文
【補正方法】変更
【補正の内容】
【特許請求の範囲】
【請求項１】
三次元（３Ｄ）宛先装置に伝達するための３Ｄビデオ信号を供給する３Ｄソース装置であって、
前記３Ｄビデオ信号は、
−  ３Ｄ表示器上の左眼ビューを表す第１ビデオ情報と、
−  前記３Ｄ表示器上の右眼ビューを表す第２ビデオ情報と、
を有し、
前記３Ｄ宛先装置は、
−  前記３Ｄビデオ信号を受信するための受信器と、
−  前記第１及び第２ビデオ情報に基づいて第１発生奥行きマップを発生するステレオ／奥行き変換器と、
を有し、
前記３Ｄソース装置は、
−  前記３Ｄビデオ信号を発生すると共に、該３Ｄビデオ信号を前記３Ｄ宛先装置に伝達するための出力ユニット、
を有し、
前記３Ｄソース装置は、
−  前記第１及び第２ビデオ情報に関するソース奥行きマップを供給し、
前記３Ｄソース装置は、
−  前記第１及び第２ビデオ情報に基づいて第２発生奥行きマップを発生するソースステレオ／奥行き変換器と、
−  前記ソース奥行きマップと前記第２発生奥行きマップとの間の差が所定の閾値を超える場合にのみ、前記ソース奥行きマップを表す奥行きヘルパデータを供給するソース奥行きプロセッサと、
を有し、
前記出力ユニットは前記奥行きヘルパデータを前記３Ｄビデオ信号に含め、
前記３Ｄ宛先装置は、
−  前記３Ｄビデオ信号において前記奥行きヘルパデータが利用可能でない場合には前記第１発生奥行きマップに基づいて、前記３Ｄビデオ信号において前記奥行きヘルパデータが利用可能である場合には該奥行きヘルパデータに基づいて宛先奥行きマップを発生するための、
奥行きプロセッサを有する、
３Ｄソース装置。
【請求項２】
前記出力ユニットは、前記差が前記閾値を超える補正期間においてのみ前記３Ｄビデオ信号に前記奥行きヘルパデータを含める、請求項１に記載の３Ｄソース装置。
【請求項３】
前記出力ユニットは、前記３Ｄ表示器より小さい補正領域であって、前記差が前記閾値を超える補正領域に対してのみ前記３Ｄビデオ信号に前記奥行きヘルパデータを含める、請求項１に記載の３Ｄソース装置。
【請求項４】
前記奥行きプロセッサは前記補正領域に対して該補正領域が前記３Ｄビデオ信号における少なくとも１つのマクロブロックに整列されるようにして前記奥行きヘルパデータを発生し、前記マクロブロックは圧縮されたビデオデータの所定のブロックを表し、該マクロブロックに整列された補正領域は、前記ソース奥行きマップと前記第２発生奥行きマップとの間の差が前記所定の閾値を超えない位置に対して他の奥行きデータを有する、請求項３に記載の３Ｄソース装置。
【請求項５】
前記出力ユニットは、前記３Ｄビデオ信号に、前記奥行きヘルパデータの利用可能性を示す通知ヘルパデータを含める、請求項１、２、３又は４に記載の３Ｄソース装置。
【請求項６】
前記通知ヘルパデータが、
−  前記奥行きヘルパデータの存在を示すフラグ信号、
−  対応する位置に対する奥行きヘルパデータの不存在を示す、奥行きマップ内の所定の無奥行き値、
−  データ構造内の奥行きヘルパデータの量を示すヘルパ長データ、
−  前記奥行きヘルパデータが利用可能であるビューの数及び／又はタイプを示すビュー標識データ、
−  前記奥行きヘルパデータのために使用されるデータ構造を示すヘルパタイプデータ、
−  前記奥行きヘルパデータの解像度を示すヘルパ解像度データ、及び
−  前記奥行きヘルパデータの位置を示すヘルパ位置データ、
のうちの少なくとも１つを有する、請求項５に記載の３Ｄソース装置。
【請求項７】
前記出力ユニットは、前記３Ｄビデオ信号に、前記３Ｄ表示器上の表示領域に対応する奥行きマップを含め、該奥行きマップは、前記補正領域及び／又は前記補正期間のために前記奥行きヘルパデータを有すると共に、他の領域及び／又は期間に関しては、前記通知ヘルパデータとして、対応する位置に対する奥行きヘルパデータの不存在を示す所定の無奥行き値を有する、請求項５に記載の３Ｄソース装置。
【請求項８】
三次元（３Ｄ）ソース装置から３Ｄビデオ信号を入力する３Ｄ宛先装置であって、
前記３Ｄビデオ信号は、
−  ３Ｄ表示器上の左眼ビューを表す第１ビデオ情報と、
−  前記３Ｄ表示器上の右眼ビューを表す第２ビデオ情報と、
を有し、
当該３Ｄ宛先装置は、
−  前記３Ｄビデオ信号を受信するための受信器と、
−  前記第１及び第２ビデオ情報に基づいて第１発生奥行きマップを発生するステレオ／奥行き変換器と、
を有し、
前記３Ｄソース装置は、
−  前記第１及び第２ビデオ情報に関するソース奥行きマップを供給し、
前記３Ｄソース装置は、
−  前記第１及び第２ビデオ情報に基づいて第２発生奥行きマップを発生するソースステレオ／奥行き変換器と、
−  前記ソース奥行きマップと前記第２発生奥行きマップとの間の差が所定の閾値を超える場合にのみ、前記ソース奥行きマップを表す奥行きヘルパデータを供給するソース奥行きプロセッサと、
−  前記奥行きヘルパデータを前記３Ｄビデオ信号に含める出力ユニットと、
を有し、
当該３Ｄ宛先装置は、
−  前記３Ｄビデオ信号において前記奥行きヘルパデータが利用可能でない場合には前記第１発生奥行きマップに基づいて、前記３Ｄビデオ信号において前記奥行きヘルパデータが利用可能である場合には前記奥行きヘルパデータに基づいて宛先奥行きマップを発生するための、
奥行きプロセッサを有する、
３Ｄ宛先装置。
【請求項９】
前記受信器が前記３Ｄビデオ信号を入力するために記録担体を読み取る読取ユニットを有する、請求項８に記載の３Ｄ宛先装置。
【請求項１０】
当該装置が、
−  前記第１及び第２ビデオ情報に基づくと共に前記宛先奥行きマップに依存して３Ｄビデオデータの複数のビューを発生するビュープロセッサと、
−  前記３Ｄビデオデータの複数のビューを表示するための３Ｄ表示器と、
を有する、請求項８に記載の３Ｄ宛先装置。
【請求項１１】
三次元（３Ｄ）宛先装置に伝達するための３Ｄビデオ信号を供給する方法であって、
前記３Ｄビデオ信号は、
−  ３Ｄ表示器上の左眼ビューを表す第１ビデオ情報と、
−  前記３Ｄ表示器上の右眼ビューを表す第２ビデオ情報と、
を有し、
前記３Ｄ宛先装置は、
−  前記３Ｄビデオ信号を受信するための受信器と、
−  前記第１及び第２ビデオ情報に基づいて第１発生奥行きマップを発生するステレオ／奥行き変換器と、
を有し、
当該方法は、
−  前記３Ｄビデオ信号を発生すると共に、該３Ｄビデオ信号を前記３Ｄ宛先装置に伝達するステップ、
を有し、
当該方法は、
−  前記第１及び第２ビデオ情報に関するソース奥行きマップを供給するステップと、
−  前記第１及び第２ビデオ情報に基づいて第２発生奥行きマップを発生するステップと、
−  前記ソース奥行きマップと前記第２発生奥行きマップとの間の差が所定の閾値を超える場合にのみ、前記ソース奥行きマップを表す奥行きヘルパデータを供給するステップと、
−  前記奥行きヘルパデータを前記３Ｄビデオ信号に含めるステップと、
を有し、
前記３Ｄ宛先装置が、
−  前記３Ｄビデオ信号において前記奥行きヘルパデータが利用可能でない場合には前記第１発生奥行きマップに基づいて、前記３Ｄビデオ信号において前記奥行きヘルパデータが利用可能である場合には前記奥行きヘルパデータに基づいて宛先奥行きマップを発生するための、
奥行きプロセッサを有する、
方法。
【請求項１２】
当該方法が、前記３Ｄビデオ信号を表すマークのトラックが設けられた記録担体を製造するステップを有する、請求項１１に記載の方法。
【請求項１３】
三次元（３Ｄ）ソース装置から３Ｄ宛先装置に３Ｄビデオデータを伝達するための３Ｄビデオ信号であって、
当該３Ｄビデオ信号は、
−  ３Ｄ表示器上の左眼ビューを表す第１ビデオ情報と、
−  前記３Ｄ表示器上の右眼ビューを表す第２ビデオ情報と、
を有し、
前記３Ｄ宛先装置は、
−  前記３Ｄビデオ信号を受信するための受信器と、
−  前記第１及び第２ビデオ情報に基づいて第１発生奥行きマップを発生するステレオ／奥行き変換器と、
を有し、
前記３Ｄソース装置は、
−  前記３Ｄビデオ信号を発生すると共に、該３Ｄビデオ信号を前記３Ｄ宛先装置に伝達するための出力ユニット、
を有し、
前記３Ｄソース装置は、
−  前記第１及び第２ビデオ情報に関するソース奥行きマップを供給し、
前記３Ｄソース装置は、
−  前記第１及び第２ビデオ情報に基づいて第２発生奥行きマップを発生するソースステレオ／奥行き変換器と、
−  前記ソース奥行きマップと前記第２発生奥行きマップとの間の差が所定の閾値を超える場合にのみ、前記ソース奥行きマップを表す奥行きヘルパデータを供給するソース奥行きプロセッサと、
を有し、
当該３Ｄビデオ信号は前記奥行きヘルパデータを有し、
前記３Ｄ宛先装置は、
−  前記３Ｄビデオ信号において前記奥行きヘルパデータが利用可能でない場合には前記第１発生奥行きマップに基づいて、前記３Ｄビデオ信号において前記奥行きヘルパデータが利用可能である場合には前記奥行きヘルパデータに基づいて宛先奥行きマップを発生するための、
奥行きプロセッサを有する、
３Ｄビデオ信号。
【請求項１４】
請求項１３に記載の三次元（３Ｄ）ビデオ信号を有する記録担体。
【請求項１５】
三次元（３Ｄ）宛先装置に伝達する３Ｄビデオ信号を供給するためのコンピュータプログラムであって、プロセッサに請求項１１に記載の方法の各ステップを実行させる、コンピュータプログラム。